(57)【要約】  【課題】  菊割れフタを劣化させ難い流しの排水機構を提供すること。  【解決手段】  流しの排水口７のゴミ受けカゴ８の上部に設けられ、中心側ほど細幅で根元部には穴部４を有する複数の舌片５を備えた菊割れフタ１と、バイオフィルムの形成を阻害する薬剤１６又は抗菌作用を有する薬剤を収容する複数の収容部１７が設けられ、かつ前記各収容部１７を菊割れフタの表側から裏側に向かってそれぞれ前記各穴部に挿入させた状態で前記菊割れフタ１の表側に着脱自在に設置されるリング体１５と、通気孔３５を有し、前記菊割れフタ１の裏側に着脱自在に設置されるカートリッジ３２と、このカートリッジ３２内に収容され、前記通気孔３５を介して異臭を吸着により消す消臭作用を有する薬剤３１とを備え、さらに、前記収容部１７は、前記穴部４を閉塞する大きさに設定されている。【選択図】          図３
2006257729.tif 000002
【特許請求の範囲】
【請求項１】
流しの排水口のゴミ受けカゴの上部に設けられ、中心側ほど細幅で根元部には穴部を有する複数の舌片を備えた菊割れフタと、バイオフィルムの形成を阻害する薬剤又は抗菌作用を有する薬剤を収容する複数の収容部が設けられ、かつ前記各収容部を菊割れフタの表側から裏側に向かってそれぞれ前記各穴部に挿入させた状態で前記菊割れフタの表側に着脱自在に設置されるリング体と、通気孔を有し、前記菊割れフタの裏側に着脱自在に設置されるカートリッジと、このカートリッジ内に収容され、前記通気孔を介して異臭を吸着により消す消臭作用を有する薬剤とを備え、さらに、前記収容部は、前記穴部を閉塞する大きさに設定されていることを特徴とする流しの排水機構。
【請求項２】
前記消臭作用を有する薬剤が無機系の消臭剤である請求項１に記載の流しの排水機構。
【請求項３】
前記菊割れフタが、バイオフィルムの形成を阻害する薬剤又は抗菌作用を有する薬剤を添加して形成されている請求項１または２に記載の流しの排水機構。
【発明の詳細な説明】
【技術分野】
【０００１】
この発明は、流しの排水機構に関するものである。
【背景技術】
【０００２】
流しの排水口の異臭を消す流しの排水機構として、流しのゴミ受けカゴの上部に設けられる菊割れフタを覆う蓋の裏側に消臭作用を有する薬剤を直接設けたものがある。
【発明の開示】
【発明が解決しようとする課題】
【０００３】
ところで、前記排水機構は、前記薬剤から発生したガスを利用して消臭するもので、そのガスはゴム製の菊割れフタの劣化の原因の一つとなっていた。
【０００４】
この発明は、上述の事柄に留意してなされたもので、その目的は、菊割れフタを劣化させ難い流しの排水機構を提供することである。
【課題を解決するための手段】
【０００５】
上記目的を達成するために、この発明の流しの排水機構は、流しの排水口のゴミ受けカゴの上部に設けられ、中心側ほど細幅で根元部には穴部を有する複数の舌片を備えた菊割れフタと、バイオフィルムの形成を阻害する薬剤又は抗菌作用を有する薬剤を収容する複数の収容部が設けられ、かつ前記各収容部を菊割れフタの表側から裏側に向かってそれぞれ前記各穴部に挿入させた状態で前記菊割れフタの表側に着脱自在に設置されるリング体と、通気孔を有し、前記菊割れフタの裏側に着脱自在に設置されるカートリッジと、このカートリッジ内に収容され、前記通気孔を介して異臭を吸着により消す消臭作用を有する薬剤とを備え、さらに、前記収容部は、前記穴部を閉塞する大きさに設定されていることを特徴としている（請求項１）。
【０００６】
この場合、前記消臭作用を有する薬剤が無機系の消臭剤であるのが好ましく（請求項２）、前記薬剤として、例えば、東亜合成株式会社製のケスモン（商標）が用いられる。この薬剤は、例えば４ｍｍ程度の粒状であり、別の市販の塩素系消臭薬剤のように当該薬剤から発生した塩素ガスにより排水口の異臭を消すのではなく、異臭を吸着により消す消臭剤である。また、前記市販の塩素系消臭薬剤では、発生する前記塩素ガスはゴム製の菊割れフタの劣化の原因の一つになるおそれがあったり、前記塩素ガスにより健康上の問題も生じるという問題がある。しかし、この発明で用いる前記無機系の消臭剤は異臭を吸着により消す機能を持つのでこのような懸念はなく、安全性が高い。  
【０００７】
この発明では、前記菊割れフタが、バイオフィルムの形成を阻害する薬剤又は抗菌作用を有する薬剤を添加して形成されるのが好ましい（請求項３）。
【０００８】
ここでバイオフィルムとは、微生物が排出するスライムで囲まれた微生物の集合体で、ヌメリの薄膜である。このバイオフィルムの形成を阻害すればヌメリ発生防止に大きな効果が得られる。そして、バイオフィルムの形成を阻害する薬剤としては、例えばダイマー３８（商品名；イヌイ株式会社製）があり、これは有害なガスを発生することがなく人体に対しては安全性が高い。このバイオフィルムの形成を阻害する薬剤は、第４アンモニウム塩を主たる成分としている。
【０００９】
また、前記抗菌作用を有する薬剤として、例えば東亜合成株式会社製のカビノン（商標）を用いた。これは、イソチアゾリン系有機剤とシリカ系無機剤のハイブリッド（複合）材料を含むものである。ここで、抗菌とは、殺菌、滅菌を含む概念である。
【発明の効果】
【００１０】
この発明では、消臭作用を有する薬剤として、異臭を吸着により消す消臭剤を用いているので、塩素系消臭薬剤のようにガスの発生がなく、ゴム製の菊割れフタが劣化するおそれはなくなる。そして、菊割れフタの表側に着脱自在に設置されるリング体を設け、このリング体にバイオフィルムの形成を阻害する薬剤又は抗菌作用を有する薬剤を収容する複数の収容部を設け、かつ前記各収容部を菊割れフタの表側から裏側に向かってそれぞれ前記各穴部に挿入させるように構成するとともに、前記収容部を穴部を閉塞する大きさに設定して、菊割れフタ直下の排水口空間を閉鎖するように構成したので、排水口空間に溜まっている異臭を吸着により効果的に消すことができる。
【発明を実施するための最良の形態】
【００１１】
以下、この発明の実施例を、図を参照しながら説明する。なお、それによってこの発明は限定されるものではない。
【００１２】
図１〜図４は、この発明の一実施例を示す。なお、図３は、表側にリング体を設置した状態の菊割れフタを示し、左側にその下面図が、右側にその上面図が示されている。
図１〜図４において、１は、菊割れフタで、塑性変形を少ない材料で形成されている。この材料としては、例えばエチレン・プロピレン・ジエン系ゴム（ＥＰＤＭ）を主たる材料として挙げることができる。菊割れフタ１は、上方開口２を形成する環状枠部３と、中心側ほど細幅で根元部には穴部４を有する複数の菊割れ状の舌片５で構成される平面視円形で菊割れ状の底部６とを備えており、流しの排水口７内に設けられるゴミ受けカゴ８の上方に位置するよう前記環状枠部３を介して排水口７内に嵌め込まれる。前記穴部４は円周方向に沿う形で舌片５，５間に設けられており、円周方向よりも径方向に長い平面視楕円形状をしている。前記穴部４の内周面の上下方向における厚みはＬである。そして、前記穴部４は排水があったときに舌片５を変形し易くして舌片５，５間から排水が流れるのを許容するために設けられている。前記ゴミ受けカゴ８は、上方開口を有する有底の筒状で、胴部および底面部を有している。前記舌片５は、裏面ｍ側に径方向に形成されたリブ９を有する。なお、前記環状枠部３は、同心円状で下向きに形成された環状溝１０，１１を介して隣接している複数のリング部１２〜１４よりなり、また、前記各環状溝１０，１１の底部Ｍ，Ｎに連なる切り取り部分を有し、更に、前記底部Ｍ，Ｎが先細りのテーパ形状をなしている。
【００１３】
１５は、バイオフィルムの形成を阻害する薬剤１６又は抗菌作用を有する薬剤を収容する複数の収容部１７を備えたリング体である。このリング体15は、前記各収容部１７を菊割れフタ１の表側から裏側に向かってそれぞれ前記各穴４に挿入させた状態で前記菊割れフタ１の表側に着脱自在に設置されている。
【００１４】
前記リング体１５は薄肉の上リング部材２０と薄肉の下リング部材２１を接合することにより形成されている。２２は、その接合面を示している。上リング部材２０は前記収容部１７に設けたカバー２３を有する。カバー２３には、環状枠部３の内周面ｉに食い込む爪２３ａが形成されている。下リング部材２１は前記カバー２３とで収容部１７を形成するトレイ２４よりなる。カバー２３は収容部１７内に流入する排水の流入孔２５を複数有する。この流入孔２５はリング体１５の内側に向くよう形成されている。２６ａおよび２６ｂは、収容部１７内から流出する薬剤１６の溶解液の流出孔で、リング体１５の外側および下側にそれぞれ向くよう形成されている。
【００１５】
以下、この発明の特徴的構成について説明する。
前記リング体１５は、前記各穴部４に収容部１７のトレイ２４を挿入させた状態で菊割れフタ１の表側に設置される。そして、前記収容部１７は、前記穴部４を閉塞する大きさに設定されている。すなわち、前記トレイ２４は、碗状で、図２に示す少なくとも上下幅ＬのＸ−Ｘ線およびＹ−Ｙ線間においては横断面楕円形状に形成されている。そして、トレイ２４のＸ−Ｘ線断面の楕円形状を穴部４の形状と一致させており、トレイ２４のＹ−Ｙ線断面の楕円形状を穴部４の形状より大きく設定し、また、Ｘ−Ｘ線より下方の横断面積を穴部４の面積よりも小さく設定している。そのため、収容部１７の挿入時、トレイ２４がＸ−Ｘ線の位置において穴部４に引っ掛かり始め、Ｙ−Ｙ線断面の位置においては、トレイ２４の外周面がＬの幅で穴部４の内周面に密着する。このようにして、トレイ２４が穴部４にぴったり嵌まり込むことにより前記穴部４は閉塞される。
また、既存の菊割れフタは舌片５の根元の穴部４以外に底部５の中心部分に丸孔を有するが、この発明では、ゴミ受けカゴ８が位置する菊割れフタ１直下の排水口空間Ｓを外部空間Ｓ’から閉鎖するために、穴部４を収容部１７で覆うとともに、舌片５の中心側の頂点部分５ａ同士を当接させている。つまり、この発明では、既存の菊割れフタにあった丸孔を無くすよう全ての舌片５の中心側の先端部をさらに延ばすことによって、この発明では三角形状の頂点部分５ａを有する舌片５としている。そして、菊割れフタ１が塑性変形を少ない材料で形成されるので、舌片５の前記頂点部分５ａ，５ａ同士を、隙間を形成することなく密着した状態でしっかりと当接させることができ、前記穴部４を覆う収容部１７とで排水口空間Ｓを閉鎖できる。
【００１６】
３０は、前記複数のリング部１２〜１４のうち、最も内側のリング部１２の裏面に形成された環状の溝である。そして、この溝３０に、消臭作用を有する４ｍｍ程度の多数の粒状の無機系の薬剤〔例えば、上述した東亜合成株式会社製のケスモン（商標）〕３１が収容されたリング状のカートリッジ３２が着脱自在に設置されている。なお、この実施例では、リング部１２の下面は他のリング部１３，１４の下面よりも下方に突出している菊割れフタ１を用いた。カートリッジ３２は、合成樹脂製であって、縦断面円形で、上下二つ割りに構成されており、複数の前記薬剤３２を収容した後上面部３２ａと下面部３２ｂを接合する。図４（Ｂ）における３３は、その接合面を示す。なお、接合以外に、蝶番を設けて上面部３２ａと下面部３２ｂを開閉自在に構成してもよい。
そして、カートリッジ３２の上面部３２ａが前記溝３０に入り込む形で菊割れフタ１に保持される。すなわち、カートリッジ３２の上面部３２ａにおける外周には、溝３０の内周面に食い込む形状の複数の係止爪３３が適宜間隔を有して設けられている。また、カートリッジ３２の下面部３２ｂには、下面部３２ｂの底ｂよりも高い位置で底ｂの径方向両側に異臭が通過する一対の適宜大きさの通気孔３５，３５よりなる多数の組が適宜間隔をおいて円周方向に設けられている。通気孔３５は、例えば４ｍｍ程度の粒状の薬剤３１が外へ出てしまわない大きさに設定されている。そして、カートリッジ３２が菊割れフタ１に保持されている状態では、下面部３２ｂは溝３０より露出しており、多数の通気孔３５は排水口空間Ｓ内において斜め下方を向いている。
なお、通気孔３５の代わりに下面部３２ｂに薬剤３１が外へ出てしまわない大きさに形成された所定幅のリング状の通気孔を一組、あるいはそれ以上設けてもよい。また、この発明では、カートリッジ３２の菊割れフタ１への保持手段は溝３０および係止爪３３に限定されるものではない。
【００１７】
また、この実施例では、菊割れフタ１は、主たる材料のＥＰＤＭに着色剤を含ませ、かつ、例えばバイオフィルムの形成を阻害する薬剤を重量比で１〜３％添加して形成されている。なお、ＥＰＤＭに着色剤を含ませ、かつ、抗菌作用を有する粉末状の薬剤を重量比で２〜１０％添加して菊割れフタ１を形成してもよく、あるいは、ＥＰＤＭに着色剤を含ませ、かつ、バイオフィルムの形成を阻害する薬剤と抗菌作用を有する粉末状の薬剤の両方を適宜の量だけ添加して菊割れフタ１を形成してもよい。
【００１８】
而して、流しの排水の一部は収容部１７内に流入して薬剤１６の一部を溶解させるとともに、収容部１７内から溶解液が流出孔２６ｂを通って直下のゴミ受けカゴ８に至りゴミ受けカゴ８の例えばヌメリを除去できるとともに、収容部１７内から溶解液が流出孔２６ａを通って菊割れフタ１の底部５に至り菊割れフタ１の例えばヌメリを除去できる。さらに、前記穴部４を収容部１７で覆うとともに、舌片５の中心側の頂点部分５ａ同士を当接させることにより、菊割れフタ１直下の排水口空間Ｓを閉鎖することができ、排水口空間Ｓに溜まっている異臭を吸着により効果的に消すことができる。すなわち、ゴミ受けカゴ８、菊割れフタ１の裏側に付着している生ゴミ、あるいは、下水からの異臭を効果的に消すことができる。
【００１９】
また、薬剤３１として、異臭を吸着により消す消臭剤を用いているので、別の市販の塩素系消臭薬剤のようにガスの発生がなく、ゴム製の菊割れフタ１が劣化するおそれはなくなる。    
【００２０】
しかも、この実施例では、バイオフィルムの形成を阻害する薬剤又は抗菌作用を有する薬剤を添加して菊割れフタ１を形成しているので、長年にわたり菊割れフタ１にヌメリが生じ難いようにできる。
【００２１】
なお、リング状のカートリッジ３２の縦断面形状を半円形あるいは楕円形に形成してもよい。
【図面の簡単な説明】
【００２２】
【図１】この発明の一実施例における使用状態を示す構成説明図である。
【図２】上記実施例において、菊割れフタ装着前の状態を示す図である。
【図３】上記実施例で用いた菊割れフタを示す上面および下面図である。
【図４】（Ａ）は、上記実施例で用いたカートリッジを示す底面図である。（Ｂ）は、カートリッジを示す縦断面図である。
【符号の説明】
【００２３】
１              菊割れフタ
４              穴部
５              舌片
７              排水口
８              ゴミ受けカゴ
１５            リング体
１６            バイオフィルムの形成を阻害する薬剤
１７            収容部
３１            消臭作用を有する薬剤
３２            カートリッジ
３５            通気孔
【図１】
2006257729.tif 000003
【図２】
2006257729.tif 000004
【図３】
2006257729.tif 000005
【図４】
2006257729.tif 000006